(57)【要約】【課題】平面部に断面性能を向上させるのに効果的な突条部を形成させる等の工夫を施すことにより、軽量化、長スパン化、高積載荷重化を可能とし、かつ、スパン方向に沿って切断するだけで連続敷設作業に好適な役物に転用（変形）可能なフラットデッキを提供する。【解決手段】鋼板がロール成形加工されて幅方向に平面部１、１１と脚部リブ２とが交互に連続して形成されたフラットデッキ１０であって、平面部１、１１は、幅方向一端部寄りの第一平面部１と、第一平面部以外の第二平面部１１、１１とを備え、第一平面部１は、その両端部が上方に突出する上面が平坦な突条部１ａを備え、前記第二平面部１１、１１は、その中間部が上方に突出する上面が平坦な突条部１１ａを備え、前記各平面部１、１１に設けた前記上面が平坦な突条部１ａ、１１ａは、略同等高さに設定されている。【選択図】図１
2017120014.tif 000002
【特許請求の範囲】
【請求項１】
鋼板がロール成形加工されて幅方向に平面部と脚部リブとが交互に連続して形成されたフラットデッキであって、
前記平面部は、幅方向一端部寄りの第一平面部と、前記第一平面部以外の第二平面部とを備え、
前記第一平面部は、前記第一平面部の両端部が上方に突出する上面が平坦な突条部を備え、
前記第二平面部は、前記第二平面部の中間部が上方に突出する上面が平坦な突条部を備え、
前記各平面部に設けた前記上面が平坦な突条部は、略同等高さに設定されていることを特徴とする、フラットデッキ。
【請求項２】
鋼板がロール成形加工されて幅方向に平面部と脚部リブとが交互に連続して形成されたフラットデッキにおいて、
前記平面部は、幅方向一端部寄りの第一平面部と、前記第一平面部に隣接する第三平面部と、前記第一平面部、前記第三平面部以外の第四平面部とを備え、
前記第一平面部と前記第三平面部は、各平面部の両端部が上方に突出する上面が平坦な突条部を備え、
前記第四平面部は、前記第四平面部の中間部が上方に突出する上面が平坦な突条部を備え、
前記各平面部に設けた前記上面が平坦な突条部は、略同等高さに設定されていることを特徴とする、フラットデッキ。
【請求項３】
前記平面部のうち、幅方向他端部寄りの平面部は、脚部リブのない張り出した第五平面部に置き換えられ、前記第五平面部は、前記第五平面部の中間部が上方に突出する上面が平坦な突条部を備え、
前記第五平面部以外の各平面部は、左右対称形状とされていることを特徴とする、請求項１又は２に記載したフラットデッキ。
【請求項４】
前記第一平面部を含むフラットデッキの役物は、前記第一平面部以外の平面部に形成した前記突条部の所定の位置で切断されて形成されることを特徴とする、請求項１〜３のいずれか１項に記載したフラットデッキ。
【請求項５】
前記フラットデッキに、前記フラットデッキとは別の前記フラットデッキの役物を一部重ね合わせて連続敷設するフラットデッキの敷設方法であって、
前記請求項１〜３のいずれか１項に記載のフラットデッキの前記第一平面部の幅方向一端部側の前記突条部の上面に、前記請求項４に記載のフラットデッキの役物の切断部における前記突条部を重ね合わせて敷設することを特徴とする、フラットデッキの敷設方法。
【発明の詳細な説明】
【技術分野】
【０００１】
この発明は、鋼板がロール成形加工されて幅方向に平面部と脚部リブとが交互に連続して形成されたフラットデッキの技術分野に属する。
【背景技術】
【０００２】
フラットデッキ（床型枠用鋼製デッキプレート）とは、一般に、鋼板がロール成形加工されて幅方向に平面部と脚部リブとが交互に連続して形成されたデッキプレートを云い、建築物のスラブ施工のための型枠として用いられ、長手方向（スパン方向）の両端部は、脚部リブを潰したエンドクローズ加工が施されている。
前記フラットデッキを実際に施工対象床に敷設する場合は、前記フラットデッキの幅方向端部の張り出した平面部の端部を下方に折り曲げて形成した差し込み部が、隣接する他のフラットデッキの対応する脚部リブに差し込まれて連続敷設されたり、前記フラットデッキのほか、前記フラットデッキをスパン方向に沿って切断したフラットデッキの役物（非標準品）も用いたりして敷設する（以上、特許文献１の［従来の技術］の項を参照）。
【０００３】
前記フラットデッキは、型枠大工等の熟練工や、原則として支保工を必要としないため、施工性、作業性に優れている利点がある一方、フラットデッキが圧縮を受ける部分の有効に作用する断面範囲は前記平面部（鋼板）厚さの約５０倍（脚部リブを中心にして左右の平面部端部の約２５倍ずつ）、すなわち一般的なフラットデッキの板厚が０．８ｍｍから１．６ｍｍで前記平面部の各幅寸が約２００ｍｍであるとすると、有効に作用する断面範囲は約４０ｍｍから約８０ｍｍであるため、断面性能が小さく、前記フラットデッキのスパン長や積載荷重の高さに制約を受ける課題があった。
前記フラットデッキのスパン長を大きくしたり、積載荷重を高くする最も簡易な方法は、フラットデッキに用いる鋼板の板厚を厚くすることであるが、近年要請される部材の軽量化に反する。特に、フラットデッキは非構造部材に属するので、重量増加は不合理に過ぎる。
【０００４】
そこで、前記フラットデッキの平面部にエンボスやリブを形成することにより、平面部の板厚を厚くすることなく断面性能を向上させる技術が種々開示されている（例えば、特許文献２、３を参照）。
【先行技術文献】
【特許文献】
【０００５】
【特許文献１】特開平７−２７９２９１号公報
【特許文献２】特開平７−２３８６２１号公報
【特許文献３】特開２０１２−１２７１００号公報
【発明の概要】
【発明が解決しようとする課題】
【０００６】
前記特許文献２、３に係るデッキプレートは、前記平面部にエンボスやリブを形成することにより、断面性能を向上させて、長スパン化・高積載荷重化を可能とする利点はあるものの、実際の施工対象床に敷設する場合に必須となる前記役物は、専用のものを別異に製造する必要がある等、不経済であった。
すなわち、前記特許文献２、３に係るデッキプレートは、前記フラットデッキを適正な幅寸でスパン方向に沿って切断した役物を用意しても、前記特許文献１の図１に示すような単純な平面に形成されていないが故に、デッキプレートと役物との重ね合わせ部が、エンボスやリブの凹凸部により干渉を生じてしまうため、敷設時の幅調整が困難となるほか、無理矢理に敷設できたとしても前記重ね合わせ部に生じた隙間から打設コンクリートが漏出する虞があった。
【０００７】
要するに、エンボスやリブ等の断面性能を向上させる技術を付加することにより軽量化、長スパン化・高積載荷重化を可能とし、かつ、スパン方向に沿って切断するだけで連続敷設作業に好適な役物に転用（変形）可能なフラットデッキは、今のところ見当たらないのが実情である。
【０００８】
本発明は、上述した背景技術の課題に鑑みて案出されたものであり、その目的とするところは、平面部に断面性能を向上させるのに効果的な突条部を形成させる等の工夫を施すことにより、軽量化、長スパン化、高積載荷重化を可能とし、かつ、スパン方向に沿って切断するだけで連続敷設作業に好適な役物に転用（変形）可能なフラットデッキを提供することにある。さらに言えば、ロール成形加工で幅寸（例えば１ｍ）が設定された鋼板から、いかにして効果的に断面性能を向上させ、適正な役物にも転用（変形）することが可能な断面形状（折曲形状）を本出願人が鋭意追究した結果、実現したフラットデッキを提供することにある。
【課題を解決するための手段】
【０００９】
上記背景技術の課題を解決するための手段として、請求項１に記載した発明に係るフラットデッキは、鋼板がロール成形加工されて幅方向に平面部と脚部リブとが交互に連続して形成されたフラットデッキであって、
前記平面部は、幅方向一端部寄りの第一平面部と、前記第一平面部以外の第二平面部とを備え、
前記第一平面部は、前記第一平面部の両端部が上方に突出する上面が平坦な突条部を備え、
前記第二平面部は、前記第二平面部の中間部が上方に突出する上面が平坦な突条部を備え、
前記各平面部に設けた前記上面が平坦な突条部は、略同等高さに設定されていることを特徴とする。
【００１０】
請求項２に記載した発明に係るフラットデッキは、鋼板がロール成形加工されて幅方向に平面部と脚部リブとが交互に連続して形成されたフラットデッキにおいて、
前記平面部は、幅方向一端部寄りの第一平面部と、前記第一平面部に隣接する第三平面部と、前記第一平面部、前記第三平面部以外の第四平面部とを備え、
前記第一平面部と前記第三平面部は、各平面部の両端部が上方に突出する上面が平坦な突条部を備え、
前記第四平面部は、前記第四平面部の中間部が上方に突出する上面が平坦な突条部を備え、
前記各平面部に設けた前記上面が平坦な突条部は、略同等高さに設定されていることを特徴とする。
【００１１】
請求項３に記載した発明は、請求項１又は２に記載したフラットデッキにおいて、前記平面部のうち、幅方向他端部寄りの平面部は、脚部リブのない張り出した第五平面部に置き換えられ、前記第五平面部は、前記第五平面部の中間部が上方に突出する上面が平坦な突条部を備え、前記第五平面部以外の各平面部は、左右対称形状とされていることを特徴とする。
【００１２】
請求項４に記載した発明は、請求項１〜３のいずれか１項に記載したフラットデッキにおいて、前記第一平面部を含むフラットデッキの役物は、前記第一平面部以外の平面部に形成した前記突条部の所定の位置で切断されて形成されることを特徴とする。
【００１３】
請求項５に記載した発明に係るフラットデッキの敷設方法は、前記フラットデッキに、前記フラットデッキとは別の前記フラットデッキの役物を一部重ね合わせて連続敷設するフラットデッキの敷設方法であって、
前記請求項１〜３のいずれか１項に記載のフラットデッキの前記第一平面部の幅方向一端部側の前記突条部の上面に、前記請求項４に記載のフラットデッキの役物の切断部における前記突条部を重ね合わせて敷設することを特徴とする。
【発明の効果】
【００１４】
（１）本発明に係るフラットデッキによれば、幅方向一端部側の平面部には突条部を左右にバランスよく２箇所形成し、他端部の平面部には突条部を中央部に大きく１箇所形成する等して実施することにより、フラットデッキ全体の断面性能を効果的に向上させることができる。また、座屈強度も効果的に向上させることで使用可能なスパンを大きくすることができる。
前記作用効果に伴い、従来のフラットデッキと同スパンで実施する場合は、従来のフラットデッキと比べ、フラットデッキ全体の重量を小さくできる等、施工性が向上する。
前記作用効果についてその一例を示すと、型枠の設計において、従来のフラットデッキでは、たわみ算定式に用いるたわみ係数Ｃを１．６として算定を行っているが、本出願人による試験によれば、前記特許文献３に係るエンボス付きのフラットデッキの１．６を低減（具体的には、Ｃ＝１．３３に低減）できることが判明し、その分、フラットデッキの使用可能なスパン長を大きくできることを既に確認している。なお、前記たわみ算定式は型枠の設計においてフラットデッキのたわみの算定を行う式であり、前記たわみ係数はフラットデッキが圧縮を受ける部分の有効に作用する断面範囲を考慮して、その断面性能の低下への影響を見込んだ補正係数である。したがって、前記たわみ係数Ｃを低減すればフラットデッキのたわみの算定値を低減でき、フラットデッキの使用可能なスパン長を大きくすることができる。
（２）本発明に係るフラットデッキの敷設方法によれば、図４Ａ、Ｂ等に段階的に示したように、その右端部の突条部の平坦部分（平坦部）を、先行して敷設されたフラットデッキ（又はフラットデッキの役物）の突条部の平坦部分（平坦部）の上面に載せると、前記平坦部の平面同士を重ね合わせることが可能となるので、その後は前記平坦部の幅寸の広い領域で柔軟性（自在性）に富む幅調整作業を行うことができ、ひいては連続敷設作業を効率的に行うことができる。
また、前記重ね合わせ部は、前記平坦部の平面同士が接しているので、打設コンクリートが漏出する虞のない高品質のスラブ施工に寄与することができる。
要するに、フラットデッキをスパン方向に沿って切断するだけで連続敷設作業に好適な役物に転用（変形）可能なフラットデッキを提供することができる。
【図面の簡単な説明】
【００１５】
【図１】実施例１に係るフラットデッキの断面図である。具体的には、フラットデッキの長手（スパン）方向両端部に施したエンドクローズ加工を除く中間部の断面図である。
【図２】Ａは、図１に係るフラットデッキの断面図そのものに寸法用の符号を付したものであり、Ｂ〜Ｄは、Ａのフラットデッキを素材として所定の位置でスパン方向に沿って切断してなるフラットデッキの役物を示した断面図である。
【図３】Ａ、Ｂは、図２Ａ〜Ｄに示したフラットデッキ又はフラットデッキの役物の幅方向一端部（左端部分）の水平リップ付きの脚部リブに、図２Ａに示したフラットデッキ（標準品）の差し込み部を差し込み、連続敷設する要領を段階的に示した断面図である。
【図４】Ａ、Ｂは、図２Ａ〜Ｄに示したフラットデッキ又はフラットデッキの役物の幅方向一端部（左端部分）の突条部の平坦部分（平坦部）の上面に、図２Ｂに示したフラットデッキの役物（非標準品）の突条部の平坦部分（平坦部）を重ね合わせる要領を段階的に示した断面図である。
【図５】Ａ、Ｂは、図２Ａ〜Ｄに示したフラットデッキ又はフラットデッキの役物の幅方向一端部（左端部分）の突条部の平坦部分（平坦部）の上面に、図２Ｃに示したフラットデッキの役物（非標準品）の突条部の平坦部分（平坦部）を重ね合わせる要領を段階的に示した断面図である。
【図６】Ａ、Ｂは、図２Ａ〜Ｄに示したフラットデッキ又はフラットデッキの役物の幅方向一端部（左端部分）の突条部の平坦部分（平坦部）の上面に、図２Ｄに示したフラットデッキの役物（非標準品）の突条部の平坦部分（平坦部）を重ね合わせる要領を段階的に示した断面図である。
【図７】実施例２に係るフラットデッキの断面図である。
【図８】Ａは、図１に係るフラットデッキの断面図そのものであり、Ｂ、Ｃは、Ａのフラットデッキを素材として所定の位置でスパン方向に沿って切断してなるフラットデッキの役物を示した断面図である。
【図９】Ａ、Ｂは、図８Ａ〜Ｃに示したフラットデッキ又はフラットデッキの役物の幅方向一端部（左端部分）の水平リップ付きの脚部リブに、図８Ａに示したフラットデッキ（標準品）の差し込み部を差し込み、連続敷設する要領を段階的に示した断面図である。
【図１０】Ａ、Ｂは、図８Ａ〜Ｃに示したフラットデッキ又はフラットデッキの役物の幅方向一端部（左端部分）の突条部の平坦部分（平坦部）の上面に、図８Ｂに示したフラットデッキの役物（非標準品）の突条部の平坦部分（平坦部）を重ね合わせる要領を段階的に示した断面図である。
【図１１】Ａ、Ｂは、図８Ａ〜Ｃに示したフラットデッキ又はフラットデッキの役物の幅方向一端部（左端部分）の突条部の平坦部分（平坦部）の上面に、図８Ｃに示したフラットデッキの役物（非標準品）の突条部の平坦部分（平坦部）を重ね合わせる要領を段階的に示した断面図である。
【図１２】実施例３に係るフラットデッキの断面図である。
【図１３】実施例４に係るフラットデッキの断面図である。
【図１４】実施例５に係るフラットデッキの断面図である。
【図１５】実施例６に係るフラットデッキの断面図である。
【図１６】Ａは、図１４に係るフラットデッキの断面図そのものであり、Ｂ、Ｃは、Ａのフラットデッキを素材として所定の位置でスパン方向に沿って切断してなるフラットデッキの役物を示した断面図である。
【図１７】Ａ、Ｂは、図１６Ａ〜Ｃ等に示したフラットデッキ又はフラットデッキの役物の幅方向一端部（左端部分）の水平リップ付きの脚部リブに、図１６Ａに示したフラットデッキ（標準品）の差し込み部を差し込み、連続敷設する要領を段階的に示した断面図である。
【図１８】Ａ、Ｂは、図１６Ａ〜Ｃ等に示したフラットデッキ又はフラットデッキの役物の幅方向一端部（左端部分）の突条部の平坦部分（平坦部）の上面に、図１６Ｂに示したフラットデッキの役物（非標準品）の突条部の平坦部分（平坦部）を重ね合わせる要領を段階的に示した断面図である。
【図１９】Ａ、Ｂは、図１６Ａ〜Ｃ等に示したフラットデッキ又はフラットデッキの役物の幅方向一端部（左端部分）の突条部の平坦部分（平坦部）の上面に、図１６Ｃに示したフラットデッキの役物（非標準品）の突条部の平坦部分（平坦部）を重ね合わせる要領を段階的に示した断面図である。
【図２０】実施例３に係るフラットデッキのバリエーションの断面図である。
【発明を実施するための形態】
【００１６】
本発明は、鋼板がロール成形加工されて幅方向に平面部と脚部リブとが交互に連続して形成され、長手方向（スパン方向）の両端部は脚部リブを潰したエンドクローズ加工が施された所謂差し込み接続方式のフラットデッキに関する発明である。
本発明は、ロール成形加工で幅寸（例えば１ｍ）が設定された鋼板から、いかにして効果的に断面性能を向上させ、適正な役物にも転用（変形）することが可能な断面形状（折曲形状）を有するフラットデッキを実現させるために本出願人が鋭意追究した結果、開発された。
具体的には以下の実施例で逐一説明するが、要するに、フラットデッキを形成する平面部と脚部リブのうち、特に平面部に着眼し、断面性能を向上させるのに効果的な突条部を形成させる等の工夫を施した。さらに云えば、平面部の断面形状を一律に形成しない等、平面部と脚部リブとを同形同大の繰り返し形状で形成する従来のフラットデッキの固定概念を変えた断面形状を備えると共に、断面性能等の強度・剛性を十分に備えたフラットデッキを実現した。
なお、以下に説明する実施例にかかるフラットデッキは、図示例のとおり、左方から右方へ（又は右方から左方へ）脚部リブと平面部とを交互に３つずつ（図１〜図１３、及び図２０参照）、又は２つずつ（図１４〜図１９参照）連続させた基本的構成態様で実施しているが、これに限定されない。脚部リブの高さ寸法を短く設定することにより４つずつ連続させて実施できるほか、使用する鋼板の幅寸や構造設計等の諸条件に応じて適宜設計変更可能である。
以下、実施例について図面に基づいて説明する。
【実施例１】
【００１７】
実施例１にかかるフラットデッキは、図１に示したように、鋼板がロール成形加工されて幅方向に平面部１、１１と脚部リブ２とが交互に３つずつ連続して形成され、幅方向一端部に水平リップ３付きの脚部リブ２を備え、他端部に脚部リブ２のない張り出した平面部１１（１４）を備え、例えば図３Ａ、Ｂに段階的に示したように、前記張り出した平面部１１（１４）の端部を下方に折り曲げて形成した差し込み部４が、隣接する他のフラットデッキ１０等の対応する脚部リブ２（の上方の閉じ合わせ部内）に差し込まれて連続敷設可能な構成の所謂差し込み接続方式のフラットデッキ１０である。
前記平面部１、１１は、前記幅方向一端部寄りの第一平面部１と、前記第一平面部１以外の第二平面部１１とを備え、前記第一平面部１は、その両端部が上方に突出する上面が平坦な突条部１ａ、１ａを備え、前記第二平面部１１は、その中間部が上方に突出する上面が平坦な突条部１１ａを備え、前記各平面部１、１１に設けた前記上面が平坦な突条部１ａ、１１ａは、略同等高さに設定されている。
【００１８】
前記脚部リブ２は、一例として、断面形状が上半を閉じ合わせた略三角形状に形成され、前記閉じ合わせ部の上端から左右に水平に平面５（以下、フランジ５という。）が張り出す構成で実施されている。なお、前記水平リップ３は、前記フランジ５よりも低い位置から水平に張り出す構成で実施されている。
【００１９】
本発明の特徴点である平面部１、１１の形状について説明すると、先ず、前記第一平面部１は、前記水平リップ３付きの脚部リブ２と前記脚部リブ２と隣接する脚部リブ２との間に連続して形成されている。
前記第一平面部１の両端部には、上方に突出する上面が平坦な突条部１ａ、１ａが形成されている。また、前記突条部１ａ、１ａ同士の間には、前記フランジ５と同一レベルの中間フランジ６が形成されている。
要するに、前記第一平面部１は、左方から右方へ、フランジ５、突条部１ａ、中間フランジ６、突条部１ａ、そしてフランジ５の順に形成されている。
さらに、前記突条部１ａ、１ａはそれぞれ、第一平面部１を略三等分割した程度の幅寸で実施され、前記フランジ５から上方へ立ち上がる傾斜ウェブ７と、前記中間フランジ６から上方へ立ち上がる傾斜ウェブ７と、前記傾斜ウェブ７、７の上端を結ぶ平坦部８とで形成されている。
【００２０】
ここで、本実施例に係るフラットデッキ１０（板厚０．８ｍｍ）の寸法例を示す（図２Ａを参照）。
Ｗ＝６３０、Ｗ１＝２１０ｍｍ、ａ＝４７ｍｍ、ｂ＝５０ｍｍ、ｃ１＝１６２ｍｍ、ｃ２＝１６９ｍｍ、ｄ＝４０ｍｍ、Ｈ＝８０ｍｍ、Ｈ１＝７５ｍｍ
なお、前記寸法はあくまでも一例に過ぎず、構造設計に応じて適宜設計変更可能である。また、鋼板は板厚０．８〜１．６ｍｍを用いるのが一般的であるが、仮に板厚１．６ｍｍの鋼板を用いる場合であっても上記寸法と大差はない。
【００２１】
前記寸法例でも分かるように、本実施例に係る第一平面部１は、大部分の領域を一対の突条部１ａ、１ａと中間フランジ６で形成した左右対称形状で実施されている。
【００２２】
よって、上記構成の第一平面部１は、平面部に突条部１ａを設けることによりフラットデッキの断面性能算定時に有効に作用する断面範囲が増え、断面性能の向上に寄与する。
前記突条部１ａを上向きに設けることで、フラットデッキ全体の高さが大きくなり、断面性能の向上に寄与する。
さらに突条部１ａを左右にバランスよく２箇所設けることで、より効果的に座屈強度を向上させることができ、断面性能の向上に寄与し、前記たわみ係数Ｃを低減できる。ひいてはフラットデッキの使用可能なスパンを大きくすることに寄与する。
以上要するに、上記構成の第一平面部１によれば、突条部１ａを両端部に２箇所（２山）設けたことにより、フラットデッキ全体の断面性能の向上に寄与し、さらには、効果的に座屈強度を向上させることで使用可能なスパンを大きくできることに寄与する。
【００２３】
次に、前記第二平面部１１、１１のうち左方の第二平面部１１は、脚部リブ２同士の間に連続して形成されている。
前記第二平面部１１の中間部にはそれぞれ、上方に突出する上面が平坦な突条部１１ａが形成されている。
要するに、前記第二平面部１１は、左方から右方へ、フランジ５、突条部１１ａ、そしてフランジ５の順に形成されている。
さらに、前記突条部１１ａは、第二平面部１１の大部分の領域を占め、左右のフランジ５、５から上方へ立ち上がる傾斜ウェブ７、７と、前記傾斜ウェブ７、７の上端を結ぶ平坦部９とで形成されている。
図２Ａに示した寸法例でも分かるように、本実施例に係る第二平面部１１は、大部分の領域を突条部１１ａで形成した左右対称形状で実施されている。
【００２４】
次に、前記第二平面部１１、１１のうち右方の第二平面部１１（脚部リブのない張り出した第五平面部１４）は、前記左方の第二平面部１１と比べ、脚部リブ２と差し込み部４との間に連続して形成されている違いはあるものの、その他の形態は左方の第二平面部１１とほぼ同様である（図１、図２Ａ参照）。
【００２５】
よって、上記構成の第二平面部１１、１１（１４）は、各平面部１１に突条部１１ａを設けることによりフラットデッキの断面性能算定時に有効に作用する断面範囲が増え、断面性能の向上に寄与する。
前記突条部１１ａを上向きに設けることで、フラットデッキ全体の高さが大きくなり、断面性能の向上に寄与する。
さらに大部分の領域を前記突条部１１ａ（平坦部９）が占めることで、割り付けの都合上、前記突条部１１ａで切断して役物とした際に、重ね代における幅調整の自在性が向上する。
以上要するに、上記構成の第二平面部１１、１１（１４）によれば、それぞれ、その中間部の大部分の領域に突条部１１ａを１箇所（１山）設けたことにより、フラットデッキ全体の断面性能の向上に寄与し、さらには、突条部１１ａの平坦部分（平坦部９）の幅寸を大きく設定したことにより、後述するように前記フラットデッキ１０を素材として製造する役物の連続敷設時の幅調整作業を容易ならしめる作用効果がある。
【００２６】
かくして、前記第一平面部１と前記第二平面部１１、１１（１４）とを合わせ持つ実施例１に係るフラットデッキ１０によれば、第一平面部１の左右にバランスよく２箇所、第二平面部１１、１１の各中央部に大きく１箇所の計４箇所に突条部１ａ、１１ａを形成して実施することにより、フラットデッキ１０全体の断面性能を向上させることができ、また、効果的に座屈強度を向上させることで使用可能なスパンを大きくすることができる。
これらの作用効果に伴い、従来のフラットデッキと同スパンで実施する場合は、従来のフラットデッキと比べ、フラットデッキ全体の重量を小さくできる等、施工性が向上する。
上述した作用効果についてその一例を示すと、本出願人による試験によれば、型枠の設計において、たわみ算定式に用いるたわみ係数Ｃが、前記特許文献３に係るエンボス付きのフラットデッキの場合の１．６を低減できることが判明し、その分、フラットデッキの使用可能なスパン長を大きくできることを既に確認している。この点については、以下の段落番号［００５１］以降の（本出願人による試験）の項で説明する。
【００２７】
次に、前記フラットデッキ１０（標準品）を素材として製造するフラットデッキの役物（非標準品）について説明する。
【００２８】
前記第一平面部１を含むフラットデッキの役物は、前記第一平面部１以外の平面部（第二平面部）１１に形成した前記突条部１１ａの平坦部分（平坦部９）の所定の位置で切断されて形成される。ここでは、切断部位に応じて形成（製造）した３種のフラットデッキの役物について説明する。
図２Ｂに係るフラットデッキの役物１０Ａは、標準品である前記フラットデッキ１０の幅方向他端部（図示例では右端部）の張り出した第二平面部１１の突条部１１ａのうち、平坦部分である平坦部９の右端縁と傾斜フランジ７との境界付近で切断して形成している。
図２Ｃに係るフラットデッキの役物１０Ｂは、標準品である前記フラットデッキ１０の幅方向他端部（図示例では右端部）の張り出した第二平面部１１の上面が平坦な突条部１１ａのうち、平坦部分である平坦部９の中央部で切断して形成している。
図２Ｄに係るフラットデッキの役物１０Ｃは、標準品である前記フラットデッキ１０の中央の第二平面部１１の上面が平坦な突条部１１ａのうち、平坦部９の右端縁と傾斜フランジ７との境界付近で切断して形成している。
【００２９】
よって、前記図２Ｂに係るフラットデッキの役物１０Ａによれば、図４Ａ、Ｂに段階的に示したように、その右端部の突条部１１ａの平坦部分である平坦部９を、先行して敷設されたフラットデッキ１０（又はフラットデッキの役物１０Ａ〜１０Ｃ）の突条部１ａの平坦部分である平坦部８の上面に載せると、前記平坦部８、９の平面同士を重ね合わせることが可能となるので、その後は前記平坦部８の幅寸ａ（本実施例では４７ｍｍ）の広い領域で柔軟性（自在性）に富む幅調整作業を行うことができ、ひいては連続敷設作業を効率的に行うことができる。
また、前記重ね合わせ部は、前記平坦部８、９の平面同士が接しているので、打設コンクリートが漏出する虞のない高品質のスラブ施工に寄与することができる。なお、このフラットデッキの役物１０Ａは、フラットデッキの敷き始め用にも好適に用いられる。
【００３０】
同様に、前記図２Ｃに係るフラットデッキの役物１０Ｂによれば、図５Ａ、Ｂに段階的に示したように、その右端部の突条部１１ａの平坦部分（平坦部９）を、先行して敷設されたフラットデッキ１０（又はフラットデッキの役物１０Ａ〜１０Ｃ）の突条部１ａの平坦部８の上面に載せると、前記平坦部８、９の平面同士を重ね合わせることが可能となるので、その後は前記平坦部８の幅寸ａの広い領域で柔軟性に富む幅調整作業を行うことができ、ひいては連続敷設作業を効率的に行うことができる。
また、前記重ね合わせ部は、前記平坦部８、９の平面同士が接しているので、打設コンクリートが漏出する虞のない高品質のスラブ施工に寄与することができる。なお、このフラットデッキの役物１０Ｂは、フラットデッキの敷き始め用にも好適に用いられる。
【００３１】
同様に、前記図２Ｄに係るフラットデッキの役物１０Ｃによれば、図６Ａ、Ｂに段階的に示したように、その右端部の突条部１１ａの平坦部分（平坦部９）を、先行して敷設されたフラットデッキ１０（又はフラットデッキの役物１０Ａ〜１０Ｃ）の突条部１ａの平坦部８の上面に載せると、前記平坦部８、９の平面同士を重ね合わせることが可能となるので、その後は前記平坦部８の幅寸ａの広い領域で柔軟性に富む幅調整作業を行うことができ、ひいては連続敷設作業を効率的に行うことができる。
また、前記重ね合わせ部は、前記平坦部８、９の平面同士が接しているので、打設コンクリートが漏出する虞のない高品質のスラブ施工に寄与することができる。なお、このフラットデッキの役物１０Ｃは、フラットデッキの敷き始め用にも好適に用いられる。
【実施例２】
【００３２】
図７に示したフラットデッキ２０は、上記実施例１に係るフラットデッキ１０と比べ、図１と図７とを対比参照すれば分かりやすいように、フラットデッキを形成する３つの平面部のうち、中央部に位置する平面部の形状のみ相違する。その他の構成要素は上記実施例１と同一なので同一の符号を付してその説明を適宜省略する。
【００３３】
すなわち、この実施例２にかかるフラットデッキ２０は、図７に示したように、鋼板がロール成形加工されて幅方向に平面部１、１２、１３（１４）と脚部リブ２とが交互に３つずつ連続して形成され、幅方向一端部に水平リップ３付きの脚部リブ２を備え、他端部に脚部リブ２のない張り出した平面部１３（１４）を備え、例えば図９Ａ、Ｂに段階的に示したように、前記張り出した平面部１３（１４）の端部を下方に折り曲げて形成した差し込み部４が、隣接する他のフラットデッキ２０等の対応する脚部リブ２（の上方の閉じ合わせ部内）に差し込まれて連続敷設可能な構成の所謂差し込み接続方式のフラットデッキ２０である。
前記平面部１、１２、１３（１４）は、前記幅方向一端部寄りの第一平面部１と、前記第一平面部に隣接する第三平面部１２と、前記第一平面部１、前記第三平面部１２以外の第四平面部１３（１４）とを備え、前記第一平面部１と前記第三平面部１２は、各平面部１、１２の両端部が上方に突出する上面が平坦な突条部１ａ、１２ａを備え、前記第四平面部１３（１４）は、その中間部が上方に突出する上面が平坦な突条部１３ａを備え、前記各平面部１、１２、１３に設けた前記上面が平坦な突条部１ａ、１２ａ、１３ａは、略同等高さに設定されている。
【００３４】
このフラットデッキ２０の平面部１、１２、１３の構成および作用効果については、先ず、前記第一平面部１は、上記実施例１に係る第一平面部１と同形同大なのでその説明を省略する（前記段落［００１９］〜[００２２]を参照）。
次に、前記第三平面部１２は、前記第一平面部１と同形同大なのでその説明を省略する（前記段落［００１９］〜[００２２]を参照）。
次に、前記第四平面部１３（脚部リブのない張り出した第五平面部１４）は、上記実施例１に係る右方の第二平面部１１と同形同大なのでその説明を省略する（前記段落［００２３］〜[００２５]を参照）。
【００３５】
かくして、前記第一平面部１、前記第三平面部１２、および前記第四平面部１３とを合わせ持つ実施例２に係るフラットデッキ２０によれば、第一平面部１、第三平面部１２の左右にバランスよく２箇所、第四平面部１３の各中央部に大きく１箇所の計５箇所に突条部１ａ、１２ａ、１３ａを形成して実施することにより、上記実施例１と比べ、中央部に設ける第三平面部１２の形状に違いはあるものの、フラットデッキ２０全体の断面性能を向上させることができ、また、効果的に座屈強度を向上させることで使用可能なスパンを大きくすることができる等、上記実施例１に係るフラットデッキ１０と同様の作用効果を発揮することができる（詳しくは、前記段落［００２６］を参照）。
【００３６】
次に、前記フラットデッキ２０（標準品）を素材として製造するフラットデッキの役物（非標準品）について説明する。
【００３７】
前記第一平面部１を含むフラットデッキの役物は、前記第一平面部１以外の平面部、具体的には前記第四平面部１３に形成した前記上面が平坦な突条部１３ａの平坦部９の所定の位置で切断されて形成される。ここでは、切断部位に応じて形成（製造）した２種のフラットデッキの役物について説明する。
図８Ｂに係るフラットデッキの役物２０Ａは、標準品である前記フラットデッキ２０（図８Ａ等を参照）の幅方向他端部（図示例では右端部）の張り出した第四平面部１３の上面が平坦な突条部１３ａのうち、平坦部９の右端縁と傾斜フランジ７との境界付近で切断して形成している。
図８Ｃに係るフラットデッキの役物２０Ｂは、標準品である前記フラットデッキ２０の幅方向他端部（図示例では右端部）の張り出した第四平面部１３の上面が平坦な突条部１３ａのうち、平坦部９の中央部で切断して形成している。
【００３８】
よって、前記図８Ｂに係るフラットデッキの役物２０Ａによれば、図１０Ａ、Ｂに段階的に示したように、その右端部の突条部１３ａの平坦部９を、先行して敷設されたフラットデッキ２０（又はフラットデッキの役物２０Ａ、２０Ｂ）の突条部１ａの平坦部８の上面に載せると、前記平坦部８、９の平面同士を重ね合わせることが可能となるので、その後は前記平坦部８の幅寸ａ（本実施例では４７ｍｍ）の広い領域で柔軟性に富む幅調整作業を行うことができ、ひいては連続敷設作業を効率的に行うことができる。
また、前記重ね合わせ部は、前記平坦部８、９の平面同士が接しているので、打設コンクリートが漏出する虞のない高品質のスラブ施工に寄与することができる。なお、このフラットデッキの役物２０Ａは、フラットデッキの敷き始め用にも好適に用いられる。
【００３９】
同様に、前記図８Ｃに係るフラットデッキの役物２０Ｂによれば、図１１Ａ、Ｂに段階的に示したように、その右端部の突条部１３ａの平坦部９を、先行して敷設されたフラットデッキ２０（又はフラットデッキの役物２０Ａ、２０Ｂ）の突条部１ａの平坦部８の上面に載せると、前記平坦部８、９の平面同士を重ね合わせることが可能となるので、その後は前記平坦部８の幅寸ａの広い領域で柔軟性に富む幅調整作業を行うことができ、ひいては連続敷設作業を効率的に行うことができる。
また、前記重ね合わせ部は、前記平坦部８、９の平面同士が接しているので、打設コンクリートが漏出する虞のない高品質のスラブ施工に寄与することができる。
【実施例３】
【００４０】
図１２は、本発明に係るフラットデッキの異なる実施例を示している。この実施例３に係るフラットデッキ３０は、上記実施例１に係るフラットデッキ１０と比べ、第２平面部１１、１１の各突条部１１ａ（平坦部９）の両端部に山形リブ１５（計４箇所）を設けたことのみ相違する。その他の構成要素は上記実施例１と同一なので同一の符号を付してその説明を適宜省略する。
この実施例３に係るフラットデッキ３０によれば、上記実施例１に係るフラットデッキ１０の作用効果（前記段落［００２６］を参照）に加え、前記山形リブ１５のリブ効果に伴う断面性能の向上のほか、スラブ施工現場での作業者の滑り防止に寄与する効果がある。
また、図２０に係るフラットデッキ３０’は、山形リブ１５を第二平面部１１（第五平面部１４）の突条部に３個（又はそれ以上）設け、中央部の山形リブ１５を他の山形リブ１５よりも高く形成している。このように、中央部の山形リブ１５を高く形成することによって、製造時、第二平面部１１（第五平面部１４）に発生するポケットウェーブを抑えることができる。
【実施例４】
【００４１】
図１３は、本発明に係るフラットデッキの異なる実施例を示している。この実施例４に係るフラットデッキ４０は、上記実施例２に係るフラットデッキ２０と比べ、第四平面部１３の突条部１３ａ（平坦部９）の両端部に山形リブ１５を設けたことのみ相違する。その他の構成要素は上記実施例２と同一なので同一の符号を付してその説明を適宜省略する。
この実施例４に係るフラットデッキ４０によれば、上記実施例２に係るフラットデッキ２０の作用効果（前記段落［００３５］を参照）に加え、前記山形リブ１５のリブ効果に伴う断面性能の向上のほか、スラブ施工現場での作業者の滑り防止に寄与する効果がある。
【実施例５】
【００４２】
図１４は、本発明に係るフラットデッキの異なる実施例を示している。
この実施例５に係るフラットデッキ５０は、上記実施例１〜４と比べ、左方から右方へ（又は右方から左方へ）脚部リブと平面部とを交互に２つずつ連続して形成されている点が相違する。
要するに、このフラットデッキ５０は、前記実施例１〜４に係るフラットデッキ１０〜４０の前記中央の第二平面部１１が存在しないに等しい構成で実施している（図１と図１４とを対比して参照）。
【００４３】
すなわち、この実施例５にかかるフラットデッキ５０は、図１４に示したように、鋼板がロール成形加工されて幅方向に平面部１、１１（１４）と脚部リブ２とが交互に２つずつ連続して形成され、幅方向一端部に水平リップ３付きの脚部リブ２を備え、他端部に脚部リブ２のない張り出した平面部１１（１４）を備え、例えば図１７Ａ、Ｂに段階的に示したように、前記張り出した平面部１１（１４）の端部を下方に折り曲げて形成した差し込み部４が、隣接する他のフラットデッキ５０等の対応する脚部リブ２（の上方の閉じ合わせ部内）に差し込まれて連続敷設可能な構成の所謂差し込み接続方式のフラットデッキ５０である。
前記平面部１、１１（１４）は、前記幅方向一端部寄りの第一平面部１と、前記第一平面部に隣接する第二平面部１１（１４）とを備え、前記第一平面部１は、前記第一平面部１の両端部が上方に突出する上面が平坦な突条部１ａを備え、前記第二平面部１１（１４）は、その中間部が上方に突出する上面が平坦な突条部１１ａを備え、前記各平面部１、１１に設けた前記上面が平坦な突条部１ａ、１１ａは、略同等高さに設定されている。
【００４４】
このフラットデッキ５０の平面部１、１１の構成および作用効果については、先ず、前記第一平面部１は、上記実施例１に係る第一平面部１と同形同大なのでその説明を省略する（前記段落［００１９］〜[００２２]を参照）。
前記第二平面部１１（脚部リブのない張り出した第五平面部１４）は、上記実施例１に係る右方の第二平面部１１と同形同大なのでその説明を省略する（前記段落［００２３］〜[００２５]を参照）。
【００４５】
かくして、前記第一平面部１、前記第二平面部１１とを合わせ持つ実施例５に係るフラットデッキ５０によれば、第一平面部１の左右にバランスよく２箇所、第二平面部１１の各中央部に大きく１箇所の計３箇所に突条部１ａ、１１ａを形成して実施することにより、上記実施例１と比べ、中央に設ける第二平面部１１の有無の違いはあるものの、同程度の幅寸を有する従来のフラットデッキと比べ、フラットデッキ５０全体の断面性能を向上させることができ、また、効果的に座屈強度を向上させることで使用可能なスパンを大きくすることができる。
【実施例６】
【００４６】
図１５は、本発明に係るフラットデッキの異なる実施例を示している。この実施例５に係るフラットデッキ６０は、上記実施例５に係るフラットデッキ５０と比べ、第２平面部１１（１４）の突条部１１ａ（平坦部９）の両端部に山形リブ１５（計２箇所）を設けたことのみ相違する。その他の構成要素は上記実施例５と同一なので同一の符号を付してその説明を適宜省略する。
この実施例６に係るフラットデッキ６０によれば、上記実施例５に係るフラットデッキ５０の作用効果（前記段落［００４５］を参照）に加え、前記山形リブ１５のリブ効果に伴う断面性能の向上のほか、スラブ施工現場での作業者の滑り防止に寄与する効果がある。
【００４７】
次に、上記実施例５に係るフラットデッキ５０（標準品）を素材として製造するフラットデッキの役物（非標準品）について説明する。
前記第一平面部１を含むフラットデッキの役物は、前記第一平面部１以外の平面部、具体的には前記第二平面部１１に形成した前記上面が平坦な突条部１１ａの平坦部９の所定の位置で切断されて形成される。ここでは、切断部位に応じて形成（製造）した２種のフラットデッキの役物について説明する。
図１６Ｂに係るフラットデッキの役物５０Ａは、標準品である前記フラットデッキ５０（図１６Ａ等を参照）の幅方向他端部（図示例では右端部）の張り出した第二平面部１１の上面が平坦な突条部１１ａのうち、平坦部９の右端縁と傾斜フランジ７との境界付近で切断して形成している。
図１６Ｃに係るフラットデッキの役物５０Ｂは、標準品である前記フラットデッキ５０の幅方向他端部（図示例では右端部）の張り出した第二平面部１１の上面が平坦な突条部１１ａのうち、平坦部９の中央部で切断して形成している。
【００４８】
よって、前記図１６Ｂに係るフラットデッキの役物５０Ａによれば、図１８Ａ、Ｂに段階的に示したように、その右端部の突条部１１ａの平坦部９を、先行して敷設されたフラットデッキ５０等の突条部１ａの平坦部８の上面に載せると、前記平坦部８、９の平面同士を重ね合わせることが可能となるので、その後は前記平坦部８の幅寸ａ（本実施例では４７ｍｍ）の広い領域で柔軟性に富む幅調整作業を行うことができ、ひいては連続敷設作業を効率的に行うことができる。
また、前記重ね合わせ部は、前記平坦部８、９の平面同士が接しているので、打設コンクリートが漏出する虞のない高品質のスラブ施工に寄与することができる。なお、このフラットデッキの役物５０Ａは、フラットデッキの敷き始め用にも好適に用いられる。
【００４９】
同様に、前記図１６Ｃに係るフラットデッキの役物５０Ｂによれば、図１９Ａ、Ｂに段階的に示したように、その右端部の突条部１１ａの平坦部９を、先行して敷設されたフラットデッキ５０等の突条部１ａの平坦部８の上面に載せると、前記平坦部８、９の平面同士を重ね合わせることが可能となるので、その後は前記平坦部８の幅寸ａの広い領域で柔軟性に富む幅調整作業を行うことができ、ひいては連続敷設作業を効率的に行うことができる。
また、前記重ね合わせ部は、前記平坦部８、９の平面同士が接しているので、打設コンクリートが漏出する虞のない高品質のスラブ施工に寄与することができる。
【００５０】
以上、上記実施例１〜６を図面に基づいて説明したが、本発明は、図示例の限りではなく、その技術的思想を逸脱しない範囲において、当業者が通常に行う設計変更、応用のバリエーションの範囲を含むことを念のために言及する。
要するに、両端部に突条部を設ける平面部を左右２山タイプ、中央部に大きく突条部を設ける平面部を中央１山タイプと称すると、本発明に係るフラットデッキは、実施する平面部の数量（本実施例では３つ、又は２つ）にかかわらず、敷設作業時に重ね合わせて敷設される側の端部の平面部を左右２山タイプとし、敷設する側の端部の平面部を中央１山タイプとし、その間の平面部（もとより、平面部の数量を２つで実施する場合には存在しない。図１４等参照。）は、左右２山タイプであっても中央１山タイプであっても実施することができ、前記段落［００２６］等で説明した作用効果と同様の作用効果を発揮することができる。
なお、本出願人は、本発明に係るデッキプレートの作用効果を確認するべく、以下に説明するように、前記実施例１に係るデッキプレート１０（図１参照）について試験を行った。
【００５１】
（本出願人による試験）
＜試験概要＞
たわみ算定係数Ｃを求めるために以下の試験を行った。コンクリートスラブの型枠として機能する前記デッキプレート１０に作用する力は、コンクリート重量による分布荷重であるため、４点曲げ試験を行い、スパン中央部のたわみ量及び載荷荷重を測定した。
＜試験体＞
試験は以下の条件で行った。
試験体は、前記デッキプレート１０（幅６３０ｍｍ、板厚０．８ｍｍ）の１枚とした  。
試験体材料は、社団法人公共建築協会の規格であるＳＧＣＣ材を使用した。
スパンは安全側の評価のために通常使用する場合の最大スパンを超える値として、３５００ｍｍとした。
支持方法は平面部及び脚部リブ下面を支持できる治具を使用し、プレートを介して丸鋼に乗せることでピン支持とした。
【００５２】
＜試験方法＞
試験では油圧アムスラーを使用し、載荷梁を介して２点に静的な下向きの力を加え、試験体の変形、耐力を確認した。
前記２点の静的な下向きの力の載荷位置は、スパン（Ｌ）＝３５００ｍｍのうち、支持点から１１００ｍｍ（ａ）の位置で左右対称とした。
変位量（δ）がスパン（Ｌ）３５００ｍｍのフラットデッキでの許容値である２５ｍｍ（式：δ＝３５００／１８０＋５（ｍｍ）≒２５）に達したときの載荷荷重（２Ｐ）を測定し、たわみ算定式に用いるたわみ係数を設定、評価した。
＜試験結果＞
前記試験の結果、前記載荷荷重（２Ｐ）、前記変位量（δ）、前記スパン（Ｌ）、前記支持点からの距離（ａ）、たわみ算定式に用いるたわみ係数Ｃを算出すると、たわみ係数Ｃ＝（２４ＥＩ×δ）／｛Ｐａ（３Ｌ２−４ａ２)｝の式より、たわみ係数（Ｃ）は、約１．３３となった。
【００５３】
＜考察＞
従来のフラットデッキのたわみ係数Ｃ＝１．６と比べ、上記実施例１に係るデッキプレート１０のたわみ係数Ｃは、１．３３と低減しているので、フラットデッキ１０のたわみの算定値を低減することができる。
すなわち、本出願人は、上記実施例１に係るデッキプレート１０は、従来のフラットデッキと比べ、たわみにくいといえるので、使用可能なスパン長を、従来のフラットデッキと比べ、大きくできると確信した。
【符号の説明】
【００５４】
１    第一平面部
１ａ  突条部
２    脚部リブ
３    水平リップ
４    差し込み部
５    フランジ（平面）
６    中間フランジ
７    傾斜ウェブ
８    平坦部
９    平坦部
１０    フラットデッキ
１０Ａ  フラットデッキの役物
１０Ｂ  フラットデッキの役物
１０Ｃ  フラットデッキの役物
１１    第二平面部
１１ａ  突条部
１２    第三平面部
１２ａ  突条部
１３    第四平面部
１３ａ  突条部
１４    第五平面部
１５    山形リブ
２０    フラットデッキ
２０Ａ  フラットデッキの役物
２０Ｂ  フラットデッキの役物
３０    フラットデッキ
３０’  フラットデッキ
４０    フラットデッキ
５０    フラットデッキ
５０Ａ  フラットデッキの役物
５０Ｂ  フラットデッキの役物
６０    フラットデッキ
【図１】
2017120014.tif 000003
【図２】
2017120014.tif 000004
【図３】
2017120014.tif 000005
【図４】
2017120014.tif 000006
【図５】
2017120014.tif 000007
【図６】
2017120014.tif 000008
【図７】
2017120014.tif 000009
【図８】
2017120014.tif 000010
【図９】
2017120014.tif 000011
【図１０】
2017120014.tif 000012
【図１１】
2017120014.tif 000013
【図１２】
2017120014.tif 000014
【図１３】
2017120014.tif 000015
【図１４】
2017120014.tif 000016
【図１５】
2017120014.tif 000017
【図１６】
2017120014.tif 000018
【図１７】
2017120014.tif 000019
【図１８】
2017120014.tif 000020
【図１９】
2017120014.tif 000021
【図２０】
2017120014.tif 000022